(57)【特許請求の範囲】
【請求項１】
遊技機設置島に固定される外枠と、該外枠に対して一側辺を軸支されて開閉自在に設けられ且つ遊技盤が装着される枠基体と、該枠基体に対して一側辺を軸支されて開閉自在に設けられ且つ前記遊技盤の前方を覆う透明板を備えた透明板保持枠と、前記枠基体の裏面に固定され且つ前記枠基体及び前記透明板保持枠の施錠を選択的に解錠する施錠装置と、を備えた弾球遊技機において、
前記透明板保持枠の横幅寸法を前記枠基体の横幅寸法とほぼ同じとなるように形成し且つ前記遊技盤の遊技領域を視認し得る円形状の開口部を形成すると共に、透明板保持枠の開放側の隅角部に切欠部を形成し、該切欠部に対応する枠基体に透明板保持枠とほぼ同一平面となる高さに突出する突出部を形成し、
前記施錠装置の鍵を挿入操作し得る錠部材を前記突出部に対応する位置に設けたことを特徴とする弾球遊技機。
【発明の詳細な説明】
【０００１】
【産業上の利用分野】
本発明は、遊技機設置島に固定される外枠と、該外枠に対して一側辺を軸支されて開閉自在に設けられ且つ遊技盤が装着される枠基体と、該枠基体に対して一側辺を軸支されて開閉自在に設けられ且つ前記遊技盤の前方を覆う透明板を備えた透明板保持枠と、前記枠基体の裏面に固定され且つ前記枠基体及び前記透明板保持枠の施錠を選択的に解錠する施錠装置と、を備えた弾球遊技機に関するものである。
【０００２】
【従来の技術】
従来、弾球遊技機、例えば、パチンコ遊技機においては、外枠に対して額縁状に形成された枠基体（前面枠と称される場合が多い）が開閉自在に設けられると共に、該枠基体の開口縁に周設された扉保持枠に透明板保持枠（ガラス扉枠と称される場合が多い）が開閉自在に設けられる。そして、それぞれの軸支側は、共に左側であり、右側の開放側を１つの施錠装置によってそれぞれ施錠・解錠を行うように構成されていた。具体的には、施錠装置の鍵を挿入し得る錠部材を扉保持枠の側方であって枠基体の細い枠部に臨ませ、錠部材に鍵を挿入した状態で、鍵を一方向に回動することにより枠基体の外枠に対する施錠状態を解錠し、他方向に回動することにより透明板保持枠の枠基体に対する施錠状態を解錠するように構成されていた。
【０００３】
【発明が解決しようとする課題】
しかして、枠基体の開口縁に周設された扉保持枠と透明板保持枠との境界線（換言するならば、枠基体と透明板保持枠との境界でもある）が枠基体の前面側であって遊技者に臨むようにほぼ正方形状に視認し得るので、従来においては、扉保持枠と透明板保持枠との境界からピアノ線等を差し込んで遊技盤上の入賞球装置等に対する不正行為が行われ易いという欠点があった。本発明は、上記した事情に鑑みなされたもので、その目的とするところは、枠基体と透明板保持枠との境界線からの不正行為を防止することが可能な弾球遊技機を提供することにある。
【０００４】
【課題を解決するための手段】
上記した目的を達成するために、本発明においては、
遊技機設置島に固定される外枠と、該外枠に対して一側辺を軸支されて開閉自在に設けられ且つ遊技盤が装着される枠基体と、該枠基体に対して一側辺を軸支されて開閉自在に設けられ且つ前記遊技盤の前方を覆う透明板を備えた透明板保持枠と、前記枠基体の裏面に固定され且つ前記枠基体及び前記透明板保持枠の施錠を選択的に解錠する施錠装置と、を備えた弾球遊技機において、
前記透明板保持枠の横幅寸法を前記枠基体の横幅寸法とほぼ同じとなるように形成し且つ前記遊技盤の遊技領域を視認し得る円形状の開口部を形成すると共に、透明板保持枠の開放側の隅角部に切欠部を形成し、該切欠部に対応する枠基体に透明板保持枠とほぼ同一平面となる高さに突出する突出部を形成し、
前記施錠装置の鍵を挿入操作し得る錠部材を前記突出部に対応する位置に設けたことを特徴とするものである。
【０００５】
【０００６】
【作用】
透明板保持枠の横幅寸法を前記枠基体の横幅寸法とほぼ同じとなるように形成し且つ前記遊技盤の遊技領域を視認し得る円形状の開口部を形成すると共に、透明板保持枠の開放側の隅角部に切欠部を形成し、該切欠部に対応する枠基体に透明板保持枠とほぼ同一平面となる高さに突出する突出部を形成し、施錠装置の鍵を挿入操作し得る錠部材を突出部に対応する位置に設けたので、不正行為を抑制することができる。
【０００７】
【実施例】
以下、図面を参照して、本発明の実施例について説明する。まず、実施例の要部を構成する施錠装置２００を有する弾球遊技機１の構成について図１乃至図３を参照して説明する。図１は、弾球遊技機１の正面図であり、図２は、枠基体２及び透明板保持枠５０を開放した状態であって透明板保持枠５０から複層ガラスセット７２を取り外した状態を示す斜視図であり、図３は、枠基体２の分解斜視図である。
【０００８】
（イ）弾球遊技機の全体構造
本実施例における弾球遊技機１としては、弾発された打玉が遊技盤４０に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（属にアレンジ遊技機と称される）であってもよい。しかして、弾球遊技機１は、図２に示すように、図示しない遊技機設置島に固定される縦長な方形状に枠組み形成される外枠３０と、該外枠３０の一側に開閉自在に軸支され且つ弾球遊技機１の主要構成部のほぼすべてが集約して設けられる枠基体２と、該枠基体２の前面上部に開閉自在に設けられる透明板保持枠５０、枠基体２の前面下部に開閉自在に設けられる上皿８０と、枠基体２の最下部前方に取り付けられる下皿９０及びハンドル装置１００と、から構成されている。以下、上記した各構成部材毎に説明する。
【０００９】
（ロ）外枠
外枠３０は、木製の板材を枠組み構成することにより形成され、その一側上下に固着される軸支用金具３２（図２には、上部の軸支用金具３２のみを図示したが、下部の軸支用金具３２は、次に説明する当て板３３の上部に固着される）に枠基体２が開閉自在に軸支される。また、外枠３０の下部前面には、閉じたときに枠基体２の下辺部を載置する当て板３３が固定されている。更に、外枠３０の開放側の内側上下には、後に詳述する施錠装置２００と係脱して枠基体２を閉じたり開放したりするための係止金具３１が固着されている。この係止金具３１と施錠装置２００との関係については、後に詳述する。なお、当て板３３を含む外枠３０を木製の板材ではなく、合成樹脂によって一体成型又は別体に成型して組み立てて構成しても良い。
【００１０】
（ハ）枠基体
上記した外枠３０に開閉自在に取り付けられる枠基体２は、合成樹脂によって一体成型されるものであり、図３に示すように、その上部にほぼ正方形状の開口部３が形成され、その下部が板状となっている。つまり、枠基体２は、従来の合板によって形成された前面枠とほぼ同等のものであるが、従来の前面枠と相違する点は、枠基体２の裏面であって遊技盤４０を収納固定する遊技盤収納枠４（図３参照）が枠基体２と一体的に形成されている点である。即ち、従来の前面枠と遊技盤収納枠との関係においては、木製の前面枠の裏面に合成樹脂製の遊技盤収納枠を固着しているのに対し、本実施例における枠基体２は、前面枠に相当する部分も合成樹脂で形成されているので、遊技盤収納枠４を含む全体を合成樹脂によって一体成型したものであり、これによって工場における組み付け作業の簡略化を達成することができるものである。
【００１１】
ところで、上記遊技盤収納枠４の下方部分も板状に形成されており、その一側上部に上皿連通口５が形成され、該上皿連通口５の下部前方に溢れ玉誘導部材６が取着される。溢れ玉誘導部材６の下流側前方には、抜き玉連通口７が形成されている。この抜き玉連通口７は、後述する上皿８０に貯留されていた玉であって玉抜きされた玉が溢れ玉誘導部材６の内部に流入するための流入口である。また、溢れ玉誘導部材６は、上皿８０を開放したときに前記上皿連通口５から溢れた玉や抜き玉連通口７から流入した玉を遊技盤収納枠４の下方の板状部分のほぼ中央に形成された下皿誘導口（図示しない）から裏面側に導いて後述する下皿９０に導くものである。
【００１２】
また、遊技盤収納枠４の下方の板状部分の前面であって前記溢れ玉誘導部材６の側方には、発射点レール８が固着されている。この発射点レール８は、上皿８０から１個宛供給される打玉を下流端に形成される発射点で受け止めて図示しない発射装置で弾発するために設けられるものである。そして、発射点レール８の上流端と遊技盤４０に設けられる誘導レール４１の下流端との間にファール口が形成され、遊技盤４０の遊技領域に到達することなく戻ってきた打玉がファール口から前記溢れ玉誘導部材６に受け入れられて最終的に下皿９０に導かれるものである。
【００１３】
一方、図３に示すように、枠基体２の前面枠部分において、前記開口部３に対応する枠部の外周縁には、透明板保持枠５０の下辺を除く３辺から後方に突出するように設けられる後述するＬ形金属６１〜６３の先端辺部が突入係合する防犯溝９が形成されている。また、枠基体２の中程左右に検出器取付穴１０，１１が貫通形成されている。この検出器取付穴１０，１１は、その裏面から検出器を取り付けるものであり、例えば、軸支側に形成される検出器取付穴１０には、検出器のアクチュエータが前面側に突出しており、透明板保持枠５０を開放したときに検出器がＯＦＦとなるようになっている。この検出器は、高電圧が供給される後述する第１装飾部材５２によって被覆される蛍光管の回路途中に挿入されるものであり、透明板保持枠５０を開放したときに蛍光管への電流の供給が停止されて開放時の安全を確保している。また、開放側に形成される検出器取付穴１１には、図示の実施例では検出器が設けられていないが、設けるとすれば、例えば、透明板保持枠５０を僅かに開放してセル板やピアノ線等の不正具を挿入する不正行為を検出するための不正開放検出器等が考えられる。
【００１４】
更に、枠基体２の前面枠部分の開口部３に対応する部分には、軸支側上部に配線通し穴１２、開放側上下にフック連通穴１３、左右中程に干渉回避凹部２６、軸支側の中程上下にヒンジ取付凹部２７，２８、開放側の上部に突出し且つ鍵穴１４ａが形成される突出部１４がそれぞれ形成されている。配線通し穴１２は、透明板保持枠５０に設けられる後述する電装部品から延びる配線を枠基体２の裏面側に通すものである。また、フック連通穴１３は、透明板保持枠５０の開放側に設けられる係合フック部６４を後方に貫通させて施錠装置２００の係合開口２３５と係合させるものである。干渉回避凹部２６は、透明板保持枠５０を閉じたときに蛍光管を被覆する円弧状の蛍光管カバーの一部との当接状態を回避するためのものであり、このため、干渉回避凹部２６は、円弧状に刻設されている。また、鍵穴１４ａには、施錠装置２００のシリンダー錠２２１が挿入されるものである。しかして、鍵穴１４ａが形成される突出部１４は、透明板保持枠５０の後述する切欠部７８が対応するものであり、透明板保持枠５０を閉じた状態で突出部１４が透明板保持枠５０の表面とほぼ同一平面となって遊技者に視認し得るようになっている。これについては、後に詳述する。なお、枠基体２の開放側の裏面側辺には、本実施例の要部を構成する施錠装置２００が固着されるようになっている。この施錠装置２００は、外枠３０に対する枠基体２の施錠、及び枠基体２に対する透明板保持枠５０の施錠を司るものである。施錠装置２００については、後に詳述する。
【００１５】
（ニ）遊技盤
前記遊技盤収納枠４に収納固定される遊技盤４０の構成について簡単に説明する。遊技盤４０は、ほぼ正方形状の合板により形成され、その表面には、円形うず巻き状に誘導レール４１が形成され、該誘導レール４１の内側が遊技領域とされて発射された打玉が落下するものである。遊技領域には、図示の場合、可変表示装置４２や可変入賞球装置４３が設けられると共に、単に打玉を入賞とする入賞口、打玉の流下方向・速度を変化せしめる風車又は多数の障害釘が設けられ、また、遊技領域の最下方には、いずれの入賞領域にも入賞しない打玉が取り込まれるアウト口４４が設けられている。
【００１６】
（ホ）透明板保持枠
枠基体２に対して開閉自在に設けられる透明板保持枠５０の構成について説明すると、円形状の開口が形成される主枠構成部材５１と、該主枠構成部材５１の開口に沿って周設される第１装飾部材５２と、第１装飾部材５２の下部前面に取り付けられる下部装飾部材５４と、第１装飾部材５２の左右前面に取り付けられる熊の手状の左右装飾部材５６，５７と、第１装飾部材５２の上部前面に取り付けられ且つ左右両端が上方に延設されてスピーカ取付部５９が形成される上部装飾部材５８と、スピーカ取付部５９に挟まれ且つ主枠構成部材５１の上部前面に取り付けられるＬＥＤカバー６０と、から構成されている。主枠構成部材５１及び装飾部材５２，５４，５６，５７，５８，６０は、すべて合成樹脂成型によって形成されている。なお、主枠構成部材５１は、その横幅寸法が前記枠基体２の横幅寸法とほぼ同じである。したがって、正面から見たときには、透明板保持枠５０に対応する部分の枠基体２は、図１に示すように前記突出部１４を除いて遊技者から視認することはできない。
【００１７】
上記した第１装飾部材５２は、遊技盤４０の遊技領域とほぼ同じ大きさの開口である遊技開口５３を規制するものであると共に、その左右両側の内部には、円弧状の蛍光管を収納するものであり、この蛍光管は、遊技状態に応じて点滅又は点灯制御されるものである。また、下部装飾部材５４の下方部は、正面から見たときに図１に示すように上皿８０の取付板部材８１の上部と重複するようになっているが、その重複状態の違和感をなくすために下部装飾部材５４の下部に凹部５５が形成され、該凹部５５と上皿８０の上部表面に固定される上部装飾部材８４を嵌め合わせることにより、意匠的に連続する印象を遊技者に与えるようになっている。なお、この下部装飾部材５４は、第１装飾部材５２の裏面に取り付けられる補強金具７７と一体的に止着されるものである。
【００１８】
また、上部装飾部材５８のスピーカ取付部５９の内部には、スピーカが内蔵されて、この左右２つのスピーカで遊技者の頭部に向けて遊技状態に応じたステレオ効果音を発生させて弾球遊技機に高級感を持たせている。更に、ＬＥＤカバー６０の内部には、多数のＬＥＤが設けられたＬＥＤ基板が収納され、前記蛍光管と同様に遊技状態に応じて点灯又は点滅、あるいは点灯移動表示される。
【００１９】
一方、透明板保持枠５０の裏面側においては、その周縁にＬ形金属６１〜６３が固着され、その先端辺部が主枠構成部材５１の後端縁よりも外側に突出するようになっている。そして、その突出した先端辺部が前記防犯溝９に侵入するようになっている。また、主枠構成部材５１の一側辺（開放側）に固着されるＬ形金属６３には、後述する施錠装置２００と係合する係合フック部６４が後方に向かって一体的に形成されている。また、透明板保持枠５０の裏面側においては、主枠構成部材５１の左右上部に補強金属板６５，６６が止着され、そのうち、軸支側の補強金属板６６には、ヒンジピン６８が挿入される支持筒６７が一体的に形成されている。しかして、支持筒６７に挿入されるヒンジピン６８は、図示しないスプリングにより常時上方向に向けて付勢されている。更に、軸支側の下部には、係合穴７０を有する軸支部材６９が止着されている。
【００２０】
また、図２に示すように、前記第１装飾部材５２の裏面にガラス取付支持部材７１が突設固着されている。このガラス取付支持部材７１に透明板としての２枚のガラス７６をガラス収納部材７３で一体化した複層ガラスセット７２を取り付けるわけであるが、その取り付けは、ガラス収納部材７３の上下左右に突設される取付片部７４にガラス取付支持部材７１を貫通させ、取付片部７４に止着される止め金具７５を回動してガラス取付支持部材７１に形成される係合溝（図示しない）に係止することにより簡単に行うことができる。また、複層ガラスセット７２の取り外しも上記したと逆の操作を行うことにより極めて簡単に行うことができる。
【００２１】
ところで、透明板保持枠５０の右側上部には、ほぼ長方形状の切欠部７８が形成されているが、この切欠部７８には、枠基体２の前記突出部１４が侵入するようになっている。そして、突出部１４が切欠部７８に侵入した状態では、図８及び図９に示すように、透明板保持枠５０の表面と突出部１４の表面とがほぼ同一平面となって遊技者に視認し得る前面位置となっている。しかして、透明板保持枠５０の横幅寸法が枠基体２の横幅寸法とほぼ同じとなるように形成すると共に、透明板保持枠５０の開放側上部に切欠部７８を形成し、該切欠部７８に対応する枠基体２に透明板保持枠５０の表面とほぼ同一平面となる高さに突出する突出部１４を形成し、その突出部１４の鍵穴１４ａに施錠装置２００の鍵を挿入操作し得るシリンダー錠２２１を設けたので、透明板保持枠５０と枠基体２との正面から見える境界線が、切欠部７８の外周形状だけであるので、その分、ピアノ線等の不正具を挿入し得る範囲が少なくなるので、不正行為を抑制することができる。
【００２２】
（ヘ）上皿
上記した透明板保持枠５０と同様に枠基体２に対して開閉自在に設けられる上皿８０の構成について説明すると、上皿８０は、合成樹脂製の取付板部材８１の表面に合成樹脂製の皿主体８２を固着することにより構成されている。取付板部材８１は、ほぼ長方形の平面板状に形成され、その上部が前記透明板保持枠５０の下部装飾部材５４部分が侵入するように凹状に形成された凹部８３となっている。その凹部８３の中央部分は、下部装飾部材５４の裏面側と前後に重複する重複部となっている。また、取付板部材８１の表面には、その前面側に貯留部８８を有する皿主体８２と、該貯留部８８に貯留されている玉を玉抜き操作して下皿９０に移動せしめるための玉抜き操作レバー８７と、透明板保持枠５０の下部装飾部材５４との意匠的な一体感を出させるための上部装飾部材とが取り付けられている。
【００２３】
（ト）枠基体への透明板保持枠及び上皿の取付構造
上記した透明板保持枠５０及び上皿８０の枠基体２への取付構造について説明すると、まず、前記ヒンジ取付凹部２７，２８は、それぞれ金属製のヒンジ部材１９，２０を止着する領域である。ヒンジ取付凹部２８（以下、中ヒンジ取付凹部２８という）に止着されるヒンジ部材１９（以下、中ヒンジ部材１９という）は、Ｌ字型に形成され、その水平面にヒンジピン１９ａが上下に貫通するように固着されている。ヒンジ取付凹部２７（以下、下ヒンジ取付凹部２７という）に止着されるヒンジ部材２０（以下、下ヒンジ部材２０という）は、Ｌ字型に形成され、その水平面に係合穴２０ａが形成されている。また、枠基体２の軸支側上部にもヒンジ部材１８（以下、上ヒンジ部材１８という）が止着されるが、この上ヒンジ部材１８は、枠基体２の裏面側から止着されるようになっている。また、上ヒンジ部材１８には、枠基体２の前面に当接し且つ係合穴２９ａを有するヒンジ支持部２９と、枠基体２に対して垂直方向に突設される水平面の下方に向かって突設されるヒンジピン１８ａと、を備えて構成されるものである。
【００２４】
上記したヒンジ部材１８，１９，２０には、透明板保持枠５０と上皿８０の取付板部材８１とが開閉自在且つ着脱自在に取り付けられるものである。具体的には、まず、透明板保持枠５０の着脱構造について説明すると、透明板保持枠５０の軸支側上端には、ヒンジピン６８がスプリングの付勢力により上方に付勢されており、また、軸支側下端裏面には、係合穴７０を有する軸支部材６９がビスで止着されている。しかして、下部の軸支部材６９の係合穴７０に中ヒンジ部材１９のヒンジピン１９ａの上部突設側に差し込んだ状態で上端のヒンジピン６８を付勢力に抗して押し下げてヒンジ支持部２９の係合穴２９ａに差し込むことにより、透明板保持枠５０が枠基体２に開閉自在に軸支される。逆に、透明板保持枠５０を取り外す場合には、図示しない切欠から例えば目通しを差し込んでヒンジピン６８を押し下げて係合穴２９ａからヒンジピン６８を抜き出した後に全体を持ち上げて係合穴７０をヒンジピン１９ａから外すことにより簡単に行うことができる。
【００２５】
次に、上皿８０の取付板部材８１の着脱構造について説明すると、取付板部材８１の軸支側上下端には、図３に示すように、係合穴８５と図示しないスプリングにより下方に付勢される軸支ピン８６とが設けられている。しかして、上端の係合穴８５を中ヒンジ部材１９のヒンジピン１９ａの下部突設側に差し込み、その状態で下部の軸支ピン８６をスプリングの付勢力に抗して持ち上げて下ヒンジ部材２０の係合穴２０ａに差し込むことにより、上皿８０の取付板部材８１が枠基体２に開閉自在に軸支される。逆に、取付板部材８１を取り外す場合には、スプリングの付勢力に抗して軸支ピン８６を持ち上げて係合穴２０ａから外し、その後、全体を下方に引き下げてヒンジピン１９ａから係合穴８５を引き抜くことにより簡単に行うことができる。
【００２６】
このように、透明板保持枠５０や上皿８０の取付板部材８１を枠基体２に対して開閉自在であり且つ着脱自在に設けたので、弾球遊技機１の工場における組付作業や遊技場における点検作業時を簡単に行うことができる。特に、本実施例のように、透明板保持枠５０に電装部品を備えたものにあっては、電装部品等の故障に基づく修理・交換が必要となることが予想され、そのように予想される場合において、従来の透明板保持枠が着脱できない構造のものに比べて、透明板保持枠５０を取り外すことができるので、修理・交換を簡単に行うことができる。また、上記した透明板保持枠５０の開放側の施錠は、外枠３０に対する施錠を同時に行う施錠装置２００によって行われるが、上皿８０の開放側の施錠は、取付板部材８１の開放側裏面に取り付けられる図示しない錠装置によって行われる。
【００２７】
（チ）下皿
枠基体２の前面枠部分の下方部分は、板状に形成されており、その前面のほぼ全域に係合凹部１５が刻設されている。この係合凹部１５は、次に説明する下皿９０やハンドル装置１００を組み付け固定する際に一応の位置決めを行うものであり、組付作業の容易化を図ることができるものである。また、係合凹部１５には、そのほぼ中央に下皿連通口１６が、その開放側よりの側部にハンドル作動開口１７がそれぞれ開設形成されている。下皿連通口１６に対応して下皿９０が取り付けられるが、その下皿９０は、詳細に図示しないが複数の部材を組み立てた状態でセット化されて枠基体２の下部中央に止着固定されているものであり、図３に示すように、多量の玉を貯留し得る貯留部９４を有するように形成されている。また、枠基体２への止着構造は、セット化された下皿９０の裏面に取付ネジ９２を後方に向けて複数本設け、その取付ネジ９２を枠基体２に穿設された取付穴２２に貫通させて枠基体２の裏面から図示しないナットを螺着することにより固定する。なお、下皿９０の裏面であって前記貯留部９４の左右には、位置決め片９３が突設されており、この位置決め片９３を枠基体２に形成された位置決め穴２３に差し込むことにより、下皿連通口１６と下皿９０の貯留部９４との接続状態を確実に確保することができると共に下皿９０の取付作業の容易化を図ることができる。なお、図示の実施例における下皿９０には、その前面壁内に玉抜き操作レバー９１が設けられ、これを操作することにより、貯留部９４の底面の開口（図示しない）が開放されて貯留部９４に貯留されていた打玉を下方（通常、玉箱が設置される）に落下せしめることができる。このように、図示の実施例においては、玉抜き操作レバー９１を下皿９０の前面壁の中央に内蔵して設けたので、従来のように操作レバーを下皿の底面に沿って設けたものに比較して外部からのイタズラによって故障せしめられることが少なくなるという利点がある。
【００２８】
（リ）灰皿
上記した下皿９０の隣接した位置であって前記係合凹部１５の端部よりには、灰皿９９が設けられるが、この灰皿９９は、枠基体２の下部前面に固着され且つ灰皿９９を収納する凹部が形成された灰皿取付枠９５に回転自在に取り付けられるものである。即ち、灰皿取付枠９５は、その裏面に複数の取付ネジ９６が後方に向かって突設され、枠基体２に穿設された取付穴２１に取付ネジ９６を貫通させた後に、裏面から図示しないナットで締着することにより灰皿取付枠９５を枠基体２に固着する。このように固着された灰皿取付枠９５に対して灰皿９９を凹部に収納した状態で、灰皿取付枠９５の前端部に形成される取付穴９７及び灰皿９９の前方上部に形成される支点穴９９ａに支点棒９８を側方から差し込んで固定することにより、灰皿９９を回転自在に装着し得るものである。
【００２９】
（ヌ）ハンドル装置
また、前記ハンドル作動開口１７に対応してハンドル装置１００が装着される。ハンドル装置１００は、前記上皿８０の側壁から装飾的に連続する取付板部材１０１に所謂ハンドルが突設されて構成されるものであり、その突設されるハンドルは、取付板部材１０１に直接的に固定される内固定部１０２と該内固定部１０２の前面側に固定される外固定部１０４と内固定部１０２と外固定部１０４との間で回動自在に設けられる可動部１０３とから構成されている。また、取付板部材１０１の裏面には、複数の取付ネジ１０５と位置決め突起１０６とが後方に向かって突設されており、取付ネジ１０５をハンドル作動開口１７の周囲に穿設される取付穴２４に差し込んで裏面から発射装置の取付板部材と共締めするようにナットで締着することにより、取付板部材１０１が枠基体２に固定される。なお、位置決め突起１０６は、ハンドル作動開口１７を貫通して対面する発射装置の取付板部材と係合して相互の全体的な位置決めを行うものである。また、ハンドル作動開口１７の側方には、配線通し穴２５が形成されているが、これは、ハンドル装置１００内に設けられるスイッチ（メインスイッチやタッチセンサ）の配線を枠基体２の裏面側に導くものである。
【００３０】
上記のように構成されるハンドル装置１００においては、可動部１０３を回動せしめることにより、その回動操作が発射装置側に伝達されて発射装置の打球槌の発射勢を変化させることができる。このため、可動部１０３を所望の位置まで回動させた状態を保持することにより、打玉を一定の速度で弾発することが可能となる。なお、図示の実施例におけるハンドル装置１００は、取付板部材１０１（又は枠基体２）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
【００３１】
（ル）施錠装置
弾球遊技機１の概の構成は、上記した通りであるが、以下には、本実施例の要部を構成する施錠装置２００の構成について図４乃至図１０を参照して説明する。図４は、施錠装置２００の分解斜視図であり、図５は、施錠装置２００を枠基体２の裏面に取り付けた状態を示し、（Ａ）は上方部分の背面図であり、（Ｂ）は下方部分の背面図である。また、図６は、外枠３０との係脱を司る第１可動部材２０８の動作を示す背面図であり、図７は、透明板保持枠５０との係脱を司る第２可動部材２２６の動作を示す背面図であり、図８は、シリンダー錠２２１部分で切断した縦断面図であり、図９は、図１のＡ−Ａ線で切断した断面図であり、図１０は、図１のＢ−Ｂ線で切断した断面図である。なお、この施錠装置２００は、前述したように透明板保持枠１００の施錠ばかりでなく、枠基体２の外枠３０に対する施錠をも行うことができる、いわゆるＷ錠となっている。
【００３２】
まず、施錠装置２００の構造について図４を中心にして説明する。施錠装置２００は、断面Ｌ字型に形成される取付基板２０１に集約して形成される。即ち、取付基板２０１の一方辺は、枠基体２の裏面に突設される取付ボス（図示しない）に止着される取付面２０１ａであり、該取付面２０１ａに直角状となっている他方辺は、第１可動部材２０８が摺接する摺接面２０１ｂとなっている。しかして、取付面２０１ａ上端から下端にかけて枠基体２の取付ボスに止着するための取付穴２０２が適宜間隔をおいて穿設されると共に、取付面２０１ａの上方寄りには、錠挿入口２０３が開設されている。この錠挿入口２０３には、錠部材としてのシリンダー錠２２１を内蔵している錠ホルダー２２０が取り付けられるようになっているが、この取付は、錠挿入口２０３の上下に形成される錠取付穴２０４に錠ホルダー２２０をビスで止着することにより行われる。また、シリンダー錠２２１の後端には、第１作動突起２２３と第２作動突起２２４とが二股状に設けられる作動部材２２２が固着されている。第１作動突起２２３は、後述する第２可動部材２２６の係合部２３４と係合して第２可動部材２２６を下降せしめ、第２作動突起２２４は、後述する第１可動部材２０８の係合凹部２１９と係合して第１可動部材２０８を上昇せしめる。また、作動部材２２２のシリンダー錠２２１への固着は、作動部材２２２に穿設された支点穴２２５をシリンダー錠２２１の後端中心軸に対応させてビスで止着することにより行われる。更に、取付面２０１ａには、錠挿入口２０３のやや下方と中央よりやや下方に長方形状の連通口２０６が開設されている。この連通口２０６には、透明板保持枠５０の開放側に設けられる係合フック部６４が貫通するものである。
【００３３】
一方、摺接面２０１ｂの中央よりやや上部には、操作開口２０５が開設されている。この操作開口２０５には、第２可動部材２２６の中程側縁から後方に向かって突設される操作レバー２２７が引き出されるものであり、引き出された操作レバー２２７の基部内側面の摺動面２２８と摺接面２０１ｂの一部を延設した外側の摺動面２２９とが摺動するようになっている。更に、摺接面２０１ｂの上下には、楕円形状の規制長穴２０７が開設されている。この規制長穴２０７は、第１可動部材２０８の上下のフック部材２０９，２１０を連結するリベット２１６，２１７が貫通して第１可動部材２０８の上下方向のスライド量を規制するようになっている。
【００３４】
上記した取付基板２０１の摺接面２０１ｂの内側面には、第１可動部材２０８が当接しながら上下動可能に設けられるが、この第１可動部材２０８は、その上下にフック部材２０９，２１０が設けられる。このフック部材２０９，２１０は、杆状の可動部材本体２０８と取付穴２１４ａ，２１４ｂ、２１５ａ，２１５ｂを介してリベット２１６，２１７で連結されるようになっているが、そのリベット２１６，２１７による連結は、可動部材本体２０８とフック部材２０９，２１０との取付穴２１４ａ，２１４ｂ、２１５ａ，２１５ｂを規制長穴２０７に合致させた状態で取付基板２０１の摺接面２０１ｂの外側面方向からリベット２１６，２１７を差し込んで樫めることにより行い、リベット２１６，２１７の頭部が規制長穴２０７の外側に位置するようにして第１可動部材２０８が取付基板２０１に対して上下動可能なように取り付けられている。
【００３５】
また、フック部材２０９，２１０は、その下方に前記係止金具３１と係合するための係止部２０９ａ，２１０ａが形成されていると共に、フック部材２０９，２１０の先端が係止部２０９ａ，２１０ａに向かって下り傾斜する誘導傾斜部２０９ｂ，２１０ｂとなっている。これは、枠基体２を押して閉じるときに外枠３０の内側上下に固定される係止金具３１と当接案内しながら最終的に係止部２０９ａ，２１０ａと係止金具３１とをスムーズに係合させるためのものである。なお、下方の誘導傾斜部２１０ｂには、側方に突出する操作部２１０ｃが突設されており、手の操作で第１可動部材２０８を上昇せしめるときに使用するものである。また、第１可動部材２０８を取付基板２０１の摺接面２０１ｂの内側面に取り付けたときには、フック部材２０９，２１０に形成されたスプリング取付部２１２と取付面２０１ａの裏面に設けられたスプリング取付部２１１との間にスプリング２１３が差し渡され、常に第１可動部材２０８を下方に付勢している。更に、第１可動部材２０８を取付基板２０１に取り付けた状態では、上方のフック部材２０９の後端が上方に延設され、その延設部２１８に形成された係合凹部２１９の上端縁の下方に前記第２作動突起２２４が位置している。
【００３６】
また、取付基板２０１の取付面２０１ａの内側面には、第２可動部材２２６が当接しながら上下動可能に設けられるが、この第２可動部材２２６は、第２可動部材２２６の上部、中央部及び下部に穿設された規制長穴２３３の外側からリベット２３７を差し込んで該リベット２３７の先端を取付面２０１ａに形成された取付穴２３６に嵌着することにより、取付基板２０１に対して規制長穴２３３の範囲内で上下方向に移動可能に取り付けられるものである。また、第２可動部材２２６には、前記連通口２０６に対応する位置に係合開口２３５が開設されている。この係合開口２３５は、透明板保持枠５０側に設けられる係合フック部６４との係脱を行うものである。更に、前述したように第２可動部材２２６の中程には、操作レバー２２７が後方に向けて突設され、また、上端に摺接面２０１ｂと当接する方向に取り付けられる係合部２３４が延設されている。このように構成された第２可動部材２２６をリベット２３７で取付基板２０１に取り付けた状態では、第２可動部材２２６に形成されたスプリング取付部２３０と取付面２０１ａに形成されたスプリング取付部２３１との間にスプリング２３２が差し渡されて常に第２可動部材２２６を上方に付勢していると共に、上端の係合部２３４の上部に前記第１作動突起２２３が位置した状態となっている。なお、前記係合開口２３５の上部開口縁の裏側には、図８に示すように、係合フック部６４の傾斜上辺６４ｂと当接しながら係合フック部６４を前方に押し出す作用を行う湾曲状の誘導部２３５ａが形成されている。
【００３７】
上記のように構成される施錠装置２００は、前記したように、取付穴２０２を枠基体２の開放側裏面に突設される図示しない取付ボスに対応させてビスを螺着することにより最終的に固着されるが、その前に、図５（Ａ）に示すように、枠基体２に突設される位置決め突起２３８に取付基板２０１の取付面２０１ａに穿設される位置決め穴２３９を差し込み、更に、図８に示すように、シリンダー錠２２１を枠基体２の突出部１４に形成される鍵穴１４ａに差し込むことにより、上下２か所で位置決めを行い、その後、取付穴２０２にビスを螺着することにより、施錠装置２００の取付作業の簡易化を図ることができる。
【００３８】
上記のように構成される施錠装置２００の作用について簡単に説明する。まず、外枠３０に対する枠基体２の解錠及び施錠について図６を参照して説明すると、遊技場の店員がシリンダー錠２２１に図示しない所定の鍵を差し込んで時計回転方向に回すと、作動部材２２２も時計回転方向（図６では、背面から見ているため、反時計回転方向）に回動する。すると、図６（Ｂ）に示すように、第２作動突起２２４と係合凹部２１９とが係合してスプリング２１３の付勢力に抗して第１可動部材２０８を上昇させるので、フック部材２０９，２１０も上昇する。このため、フック部材２０９，２１０の係止部２０９ａ，２１０ａと外枠３０の係止金具３１との係合位置関係が外れるので、その状態でシリンダー錠２２１に鍵を差し込んだままの鍵を引っ張ることにより枠基体２全体を回動させて開放することができる。一方、開放した枠基体２を閉じるときには、そのまま枠基体２を押し込むことによりフック部材２０９，２１０の誘導傾斜部２０９ｂ，２１０ｂと係止金具３１との当接により第１可動部材２０８がスプリング２１３の付勢力に抗して上昇し、遂には、係止部２０９ａ，２１０ａが係止金具３１と係合する位置でスプリング２１３の付勢力により第１可動部材２０８が下降してフック部材２０９，２１０と係止金具３１とが完全に施錠された状態となる。
【００３９】
次に、枠基体２に対する透明板保持枠５０の解錠及び施錠について図７を参照して説明すると、遊技場の店員がシリンダー錠２２１に図示しない所定の鍵を差し込んで反時計回転方向に回すと、作動部材２２２も反時計回転方向（図示では背面から見ているため時計回転方向）に回動する。すると、第１作動突起２２３と係合部２３４とが係合してスプリング２３２の付勢力に抗して第２可動部材２２６を下降させるので、係合開口２３５も下降する。このため、図７（Ｂ）に示す係合開口２３５と係合フック部６４との係合状態から係合開口２３５の下降により係合フック部６４の傾斜上辺６４ａと誘導部２３５ａとの作用により係合フック部６４が前方に押し出されて透明板保持枠５０の係合が解除されて自然に透明板保持枠５０が所定角度だけ前方に飛び出す。これにより僅かに開放している透明板保持枠５０の開放側の一部を持って引き出すことにより極めて容易に開放することができる。一方、開放した透明板保持枠５０を閉じるときには、そのまま透明板保持枠５０を押し込むことにより係合フック部６４が枠基体２に形成されたフック連通穴１３を貫通して施錠装置２００の連通口２０６に侵入し、上昇している第２可動部材２２６の係合開口２３５の一部に侵入する。その状態でさらに押し込むことにより係合フック部６４の先端下辺の傾斜下辺６４ｂと係合開口２３５との当接により第２可動部材２２６がスプリング２３２の付勢力に抗して下降し、遂には、係合開口２３５が係合フック部６４と係合する位置でスプリング２３２の付勢力により第２可動部材２２６が上昇して係合フック部６４と係合開口２３５とが完全に施錠された状態となる。なお、透明板保持枠５０を解錠する場合には、枠基体２を開放した状態で操作レバー２２７を押し下げることによっても行うことができる。
【００４０】
以上、実施例に係る弾球遊技機１の構成及び作用について説明してきたが、本実施例によれば、透明板保持枠５０の横幅寸法が枠基体２の横幅寸法とほぼ同じとなるように形成すると共に、透明板保持枠５０の開放側上部に切欠部７８を形成し、該切欠部７８に対応する枠基体２に透明板保持枠５０の表面とほぼ同一平面となる高さに突出する突出部１４を形成し、その突出部１４の鍵穴１４ａに施錠装置２００の鍵を挿入操作し得るシリンダー錠２２１を設けたので、透明板保持枠５０と枠基体２との正面から見える境界線が、切欠部７８の外周形状だけであるので、図１に示すように、従来のように透明板保持枠５０と枠基体２との正面から見える境界線の長さがほぼ「Ｌ１」であるのに対し、本実施例では、それよりも短い「Ｌ２」となるため、その分、ピアノ線等の不正具を挿入し得る範囲が少なくなるので、不正行為を抑制することができる。なお、透明板保持枠５０と枠基体２との境界は、側面において存在するが、その側面には、図１０に示すように、一般的に台間玉貸機２４０が設置されるので、その隙間からピアノ線等の不正具を挿入し且つ透明板保持枠５０と枠基体２の側面境界から挿入することは困難であり、実質的に不正行為を行うことはできない。
【００４１】
また、特に図示の実施例にように、シリンダー錠２２１が臨ませしめられる突出部１４を枠基体２の上方に形成することにより、仮に遊技者による不正行為が行われている場合でも遊技場の店員が発見し易いという効果がある。このような効果を多少犠牲にした場合には、図１１（Ｂ）に示すように、透明板保持枠５０の中程に対応する位置、あるいは図１１（Ａ）に示すように、透明板保持枠５０の下方に対応する位置にそれぞれ突出部１４を形成しても良い。
【００４２】
なお、上記した実施例では、切欠部７８として周辺の一部のない態様のものを示したが、周辺が囲まれた開口状のものでも良い。また、施錠装置２００の錠部材としてのシリンダー錠２２１の前面が突出部１４とほぼ同一平面となっているものを示したが、シリンダー錠２２１の前面が突出部１４の表面より突出していても、あるいは突出部１４の表面よりも凹んだ位置にあってもよく、要は突出部１４の位置に対応して設けられていれば良い。シリンダー錠２２１の前面を突出部１４の表面よりも凹んだ位置に設けた場合には、突出部１４の表面に開閉カバーを設け、該開閉カバーを開放したときにシリンダー錠２２１が遊技者に視認し得るようにして美観の向上を図っても良い。
【００４３】
【発明の効果】
以上、説明したところから明らかなように、本発明においては、透明板保持枠の横幅寸法を前記枠基体の横幅寸法とほぼ同じとなるように形成し且つ前記遊技盤の遊技領域を視認し得る円形状の開口部を形成すると共に、透明板保持枠の開放側の隅角部に切欠部を形成し、該切欠部に対応する枠基体に透明板保持枠とほぼ同一平面となる高さに突出する突出部を形成し、施錠装置の鍵を挿入操作し得る錠部材を突出部に対応する位置に設けたので、不正行為を抑制することができる。
【図面の簡単な説明】
【図１】  実施例に係る弾球遊技機の正面図である。
【図２】  枠基体及び透明板保持枠を開放した状態であって透明板保持枠から複層ガラスセットを取り外した状態を示す斜視図である。
【図３】  枠基体の分解斜視図である。
【図４】  施錠装置の分解斜視図である。
【図５】  施錠装置を枠基体の裏面に取り付けた状態を示し、（Ａ）は上方部分の背面図であり、（Ｂ）は下方部分の背面図である。
【図６】  外枠との係脱を司る第１可動部材の動作を示す背面図である。
【図７】  透明板保持枠との係脱を司る第２可動部材の動作を示す背面図である。
【図８】  シリンダー錠部分で切断した縦断面図である。
【図９】  図１のＡ−Ａ線で切断した断面図である。
【図１０】  図１のＢ−Ｂ線で切断した断面図である。
【図１１】  上部部材が設けられる突出部の位置を異ならせた実施例を示す弾球遊技機の正面図である。
【符号の説明】
１  弾球遊技機
２  枠基体
１４  突出部
１４ａ  鍵穴
３０  外枠
３１  係止金具
５０  透明板保持枠
６４  係合フック部
７８  切欠部
８０  上皿
９０  下皿
１００  ハンドル装置
２００  施錠装置
２０１  取付基板
２０８  第１可動部材
２０９  フック部材
２１０  フック部材
２１３  スプリング
２１９  係合凹部
２２０  錠ホルダー
２２１  シリンダー錠（錠部材）
２２２  作動部材
２２３  第１作動突起
２２４  第２作動突起
２２６  第２可動部材
２２７  操作レバー
２３２  スプリング
２３４  係合部
２３５  係合開口
【図１】
0003813641.tif 000002
【図２】
0003813641.tif 000003
【図３】
0003813641.tif 000004
【図４】
0003813641.tif 000005
【図５】
0003813641.tif 000006
【図６】
0003813641.tif 000007
【図７】
0003813641.tif 000008
【図８】
0003813641.tif 000009
【図９】
0003813641.tif 000010
【図１０】
0003813641.tif 000011
【図１１】
0003813641.tif 000012